(57)【要約】【課題】  保形性および寸法安定性に優れ、軽量で、高い剛性を有し、それにより、所要の動作を安定して得ることができ、連打性能を向上させることができるグランドピアノのレペティションレバーを提供する。【解決手段】  打弦後にハンマー３０の押上げ動作を行うグランドピアノのレペティションレバー４であって、長繊維法で成形された、補強用の長繊維を含有する熱可塑性樹脂の成形品で構成されている。また、レペティションレバー４は、重量を軽減するための断面減少部４９，５０，５４を有する。さらに、補強用の長繊維は炭素繊維で構成され、熱可塑性樹脂はＡＢＳ樹脂で構成されている。【選択図】  図１
2005141182.tif 000002
【特許請求の範囲】
【請求項１】
打弦後にハンマーの押上げ動作を行うグランドピアノのレペティションレバーであって、
長繊維法で成形された、補強用の長繊維を含有する熱可塑性樹脂の成形品で構成されていることを特徴とするグランドピアノのレペティションレバー。
【請求項２】
前記長繊維の長さが０．５ｍｍ以上であることを特徴とする、請求項１に記載のグランドピアノのレペティションレバー。
【請求項３】
前記長繊維が炭素繊維であることを特徴とする、請求項１または２に記載のグランドピアノのレペティションレバー。
【請求項４】
前記熱可塑性樹脂がＡＢＳ樹脂であることを特徴とする、請求項１ないし３のいずれかに記載のグランドピアノのレペティションレバー。
【請求項５】
重量を軽減するための断面減少部を有することを特徴とする、請求項１ないし４のいずれかに記載のグランドピアノのレペティションレバー。
【発明の詳細な説明】
【技術分野】
【０００１】
本発明は、アコースティックなグランドピアノなどにおいて、連打性を得るために、打弦後にハンマーの押上げ動作を行うグランドピアノのレペティションレバーに関する。
【背景技術】
【０００２】
グランドピアノのレペティションレバーを含むアクションは、一般に次のように構成されている。すなわち、グランドピアノのアクションは、後端部を中心として回動自在に設けられ、鍵の後部に載置されたウィッペンと、ウィッペンに回動自在に取り付けられたレペティションレバーおよびジャックなどで構成されている。レペティションレバーは、ウィッペンの二股状のレバー取付部に係合した状態で取り付けられ、前後方向に延びており、その上面には、ハンマーがシャンクローラを介して載置されている。ジャックの上端部は、レペティションレバーに形成されたジャック案内孔に係合し、離鍵状態では、シャンクローラに微小の間隔をもって下方から対向している。また、レペティションレバーおよびジャックは、レペティションスプリングによって復帰方向に付勢されており、離鍵状態においては、ジャックはレギュレーティングボタンに、所定の間隔をもって下方から対向している。
【０００３】
以上の構成により、鍵が押鍵されると、ウィッペンが突き上げられることにより、レペティションレバーおよびジャックがウィッペンと一緒に上方に回動する。これらの回動に伴い、ジャックがシャンクローラを介してハンマーを突き上げる。その後、ハンマーが上方の弦を打弦する直前まで回動した時点で、ジャックが、レギュレーティングボタンに係合することによって、シャンクローラから抜ける。これにより、ハンマーは、アクションおよび鍵との連結を解かれ、自由回動状態で弦を打弦する。打弦後、ハンマーは、反対方向に回動する。
【０００４】
その後、鍵が離鍵されると、鍵が所定の高さまで戻されたタイミングで、レペティションレバーがレペティションスプリングのばね力で復帰回動することによって、シャンクローラを介してハンマーを押し上げる。これにより、ジャックが、レペティションスプリングのばね力で復帰回動し、シャンクローラの下側に入り込むことによって、鍵が完全に戻らなくても、次の打弦が確実に行えるようになり、それにより、連打性が確保される。
【０００５】
以上のように、レペティションレバーは、打弦後に、シャンクローラを介してハンマーを押し上げることにより、同じ鍵を連続的に叩くトリルのような連打奏法を実現するための部品であり、他の多くのアクション部品と同様、従来一般に木材で構成されている。これは、木材が、入手が容易で、加工性が良いとともに、軽量でありながら、剛性が高いという利点を有するためである。特に、レペティションレバーの場合には、ハンマーの押上げ動作を鍵の離鍵に応じた所定のタイミングで行うようにすべく、鍵の離鍵に応じて応答良く軽快に回動するための軽量性が要求されるとともに、ハンマーを押し上げる際に大きくたわまないよう、高い剛性が要求される。
【０００６】
また、従来のレペティションレバーとして、合成樹脂製のものが知られるようになっており、例えば特許文献１に開示されている。このレペティションレバーは、ＡＢＳ樹脂などで構成されており、その帯電を防止するために、少なくとも表面に、導電性を有する塗料層や金属層などが設けられている。
【０００７】
前述したように、従来のレペティションレバーの材料として、軽量性と高剛性を併せ持つなどの理由から、一般に木材が用いられている。しかし、その一方で、天然の素材である木材は、均質性に乏しいため、剛性や重量がばらつくとともに、残留した応力などにより反りやねじれなどの変形が発生しやすいという欠点を有する。また、木材は、乾湿による寸法変化が大きいので、レペティションレバーの幅が乾湿に応じて比較的大きく伸縮し、その結果、ウィッペンのレバー取付部との間のクリアランスが変化することによって、レペティションレバーがウィッペンに対して緩くなったり、渋くなったりする。以上のような自身の変形やレバー取付部とのクリアランスの変化によって、レペティションレバーの動作が安定して得られないおそれがある。
【０００８】
一方、レペティションレバーを、特許文献１に開示されるようなＡＢＳ樹脂で構成した場合には、保形性および寸法安定性に優れているため、木材の場合の上述した不具合がないとともに、高精度で加工でき、材料コストを低減できるなどの利点も得られる。しかし、ＡＢＳ樹脂は、木材よりも比重が大きいので、その分、レペティションレバーの軽快性が損なわれ、動きが鈍くなってしまう。また、ＡＢＳ樹脂は、木材よりも剛性が小さいので、ハンマーを押し上げる際に比較的大きくたわむことによって、ハンマーの押上げ動作のタイミングがずれるなど、木材で構成した場合の利点が失われ、連打性能が低下してしまう。
【０００９】
本発明は、このような課題を解決するためになされたものであり、保形性および寸法安定性に優れ、軽量で、高い剛性を有し、それにより、所要の動作を安定して得ることができ、連打性能を向上させることができるグランドピアノのレペティションレバーを提供することを目的とする。
【００１０】
【特許文献１】特開２００３−５７４０号公報
【発明の開示】
【課題を解決するための手段】
【００１１】
この目的を達成するため、請求項１による発明は、打弦後にハンマーの押上げ動作を行うグランドピアノのレペティションレバーであって、長繊維法で成形された、補強用の長繊維を含有する熱可塑性樹脂の成形品で構成されていることを特徴とする。
【００１２】
上記の構成における長繊維法とは、熱可塑性樹脂で被覆した同じ長さの繊維状の強化材を含むペレットを射出成形することによって、成形品を得るものである。この長繊維法によれば、強化材として短い繊維を単純に含むペレットを射出成形する場合と異なり、成形品中に比較的長い繊維状の強化材が含有される。したがって、本発明のレペティションレバーは、比較的長い補強用の長繊維を含有することにより、ＡＢＳ樹脂などの合成樹脂のみで構成した場合と比較して、非常に高い剛性が得られ、木材と同等またはそれ以上の剛性を得ることができる。その結果、打弦後にハンマーを押し上げる際のレペティションレバーのたわみを抑制でき、ハンマーの押上げ動作を所定のタイミングで安定して行うことができる。また、長繊維法で成形された成形品は、単体の合成樹脂と同様、保形性や寸法安定性に優れているので、木材の場合と比較して、レペティションレバー自身の反りおよびねじれなどの変形および乾湿による伸縮を、非常に小さく抑制することができる。以上により、レペティションレバーの動作を安定して得ることができるとともに、連打性能を向上させることができる。
【００１３】
請求項２に係る発明は、請求項１に記載のグランドピアノのレペティションレバーにおいて、長繊維の長さが０．５ｍｍ以上であることを特徴とする。
【００１４】
この構成によれば、０．５ｍｍ以上の長さの補強用の長繊維が成形品中に含有されるので、非常に高い剛性が得られ、レペティションレバーの所要の剛性を確保することができる。
【００１５】
また、請求項３に係る発明は、請求項１または２に記載のグランドピアノのレペティションレバーにおいて、長繊維が炭素繊維であることを特徴とする。
【００１６】
一般に、炭素繊維は、他の補強用の長繊維、例えばガラス繊維よりも導電性が高い。したがって、上記のように、炭素繊維を補強用の長繊維として用いることにより、レペティションレバーの導電性が高められることによって、ハンマーなどの他の部品が擦れることにより発生した静電気を確実に逃がし、帯電を防止することができる。それにより、レペティションレバーおよびその周辺へのほこりなどの付着を抑制でき、したがって、レペティションレバーの動作および外観を良好に維持することができる。
【００１７】
また、請求項４に係る発明は、請求項１ないし３のいずれかに記載のグランドピアノのレペティションレバーにおいて、熱可塑性樹脂がＡＢＳ樹脂であることを特徴とする。
【００１８】
レペティションレバーには一般に、ドロップスクリューに当接するレバースキンなどの他の部品が取り付けられる。一方、ＡＢＳ樹脂は、熱可塑性樹脂の中では、比較的高い接着性を有する。したがって、レペティションレバーを構成する熱可塑性樹脂として、ＡＢＳ樹脂を用いることにより、レペティションレバーへのレバースキンなどの他の部品の取付を、接着によって容易に行うことができ、その組立性を向上させることができる。
【００１９】
請求項５に係る発明は、請求項１ないし４のいずれかに記載のグランドピアノのレペティションレバーにおいて、重量を軽減するための断面減少部を有することを特徴とする。
【００２０】
この構成によれば、断面減少部によってレペティションレバーが軽量化されるので、その軽快性を高めることができる。また、上述したように、本発明では、補強用の長繊維によって剛性が高められるので、断面減少部により断面が減少しても、所要の剛性を確保することが可能である。このように、所要の剛性を確保しながら、軽量化を最大限に図ることができ、したがって、連打性能をさらに向上させることができる。また、レペティションレバーは射出成形によって成形されるので、そのような断面減少部を、成形時に容易にかつ精度良く形成することができる。
【図面の簡単な説明】
【００２１】
【図１】本発明の実施形態によるグランドピアノのレペティションレバーの（ａ）平面図、（ｂ）側面図、および（ｃ）底面図である。
【図２】図１のレペティションレバーを含むグランドピアノの鍵盤装置の側面図である。
【図３】レペティションレバーに対して行った剛性試験の結果を比較例とともに示す図である。
【図４】図１（ｂ）のＡ部を示す部分拡大側面図である。
【図５】図１（ａ）のＶ−Ｖ線に沿う断面図である。
【発明を実施するための最良の形態】
【００２２】
以下、図面を参照しながら、本発明の好ましい実施形態を、詳細に説明する。なお、以下の説明では、グランドピアノを演奏者から見た場合の手前側（図２の右側）を「前」、奥側（図２の左側）を「後」とし、さらに鍵２の並び方向を「左右方向」として、説明を行うものとする。
【００２３】
まず、図１を参照しながら、レペティションレバー４について説明する。このレペティションレバー４は、本実施形態では、長繊維法で成形された熱可塑性樹脂の成形品で構成されており、例えば、以下に述べるようなペレットを用いた射出成形によって成形されている。このペレットは、炭素繊維で構成されたロービングを、所定の張力を加えた状態で揃えながら、ゴム状重合体を含む熱可塑性樹脂である、例えばＡＢＳ樹脂を押出機で押し出したもので被覆することによって成形される。このような成形方法により、ペレットの成形時に炭素繊維のロービングが折れることがなく、成形されたペレット中にこれと等しい長さの炭素繊維を含有させることができる。本実施形態では、ペレットの長さは５〜１５ｍｍに設定されており、それにより、このペレットを用いて射出成形されたレペティションレバー４には、０．５〜２ｍｍの長さの炭素繊維が含有される。
【００２４】
図１に示すように、レペティションレバー４は、前後方向に延びる棒状のものであり、中央のウィッペン取付部４１と、ウィッペン取付部４１から前方および後方にそれぞれ延びるシャンクローラ押上げ部４２およびレバーボタン取付部４３を一体に備えている。
【００２５】
ウィッペン取付部４１は、幅および高さがほぼ一定の矩形状の断面を有しており、その中央部には、ウィッペン３（図２参照）への取付用の取付孔４４が、左右方向に貫通するように形成されている。
【００２６】
シャンクローラ押上げ部４２の幅は、ウィッペン取付部４１よりも大きく、前方に向かうにつれて緩やかに拡大しており、前半部では一定になっている。また、シャンクローラ押上げ部４２の高さは、後半部においてはウィッペン取付部４１と同じである一方、前半部の上面は前下がりに曲線状に傾斜している。シャンクローラ押上げ部４２の前半部には、上下方向に貫通するジャック案内孔４５が、前後方向に延びるように形成されており、それよりも前側の上面の前端部は、レバースキン３９（図２参照）を取り付けるためのスキン取付部４６になっている。
【００２７】
図４に示すように、シャンクローラ押上げ部４２の前半部の下面は、後半部の下面よりも一段高くなっており、それにより、両者の境界に下部段差５６が形成されている。また、下部段差５６の前側に近接する位置には、溝５７が形成されている。この溝５７は、シャンクローラ押上げ部４２の左右の各外側面に、その上下方向の全体にわたって延びており、溝５７の前後の縁部が毛引き線５７ａ、５７ａになっている。溝５７および毛引き線５７ａは、シャンクローラ押上げ部４２の下面に対してほぼ直角であり、下部段差５６の前面は、毛引き線５７ａに対して所定の微小な角度をもって傾斜している。これらの下部段差５６および毛引き線５７ａは、後述するように、レペティションレバー４に対するアクション１のジャック５の角度位置を調整する際の基準として用いられる。
【００２８】
さらに、シャンクローラ押上げ部４２の上面には、面取りが施されている。具体的には、図５に示すように、ジャック案内孔４５を構成する左右の壁部４５ａ、４５ａの各々の左右の上角部が、成形時に面取りされており、０．２〜０．５ｍｍのＲ部４５ｂになっている。
【００２９】
シャンクローラ押上げ部４２の後半部の左右の側面には、その周縁部４８を残して、断面減少部としての第１凹部４９（一方のみ図示）が形成されている。より詳しくは、この第１凹部４９は、ジャック案内孔４５の付近から後方に向かって次第に深くなる部分４９ａと、下側の周縁部４８から上方に向かってその途中まで次第に深くなる部分４９ｂと、残りの一定深さの部分４９ｃで構成されている。スキン取付部４６の下面には三角形状の突起４７が設けられており、この突起４７の下面にも、中央部分を残してその左右に、第２凹部５０（断面減少部）が形成されている。また、シャンクローラ押上げ部４２の下面には、レペティションスプリング６（図２参照）の一端部が係合する溝５２が形成されている。
【００３０】
一方、レバーボタン取付部４３は、シャンクローラ押上げ部４２の後端部とほぼ同じ幅と、ウィッペン取付部４１とほぼ同じ高さを有している。また、レバーボタン取付部４３の下面の後端部は、斜め後ろ上がりの傾斜面になっており、この傾斜面と上面の間を斜めに貫通するように、レバーボタン２８（図２参照）の取付用のねじ孔５１が形成されている。レバーボタン取付部４３の左右の側面にも、その周縁部５３を残して、断面減少部としての第３凹部５４（一方のみ図示）が形成されている。この第３凹部５４は、ねじ孔５１付近の部分が浅い以外は、所定の一定の深さを有している。
【００３１】
次に、上記構成のレペティションレバー４を含むアクション１の構成を、図２を参照して説明する。アクション１は、多数の鍵２（１つのみ図示）ごとに設けられている。同図に示すように、アクション１は、前後方向に延びる回動自在のウィッペン３と、ウィッペン３に回動自在に取り付けられた上記レペティションレバー４およびジャック５を備えており、左右のブラケット２１，２１（一方のみ図示）の間に取り付けられている。左右のブラケット２１，２１は、鍵２を載置する筬（図示せず）の左右端部にそれぞれ固定され、それらの間にウィッペンレール２２が渡されていて、このウィッペンレール２２にねじ止めした各ウィッペンフレンジ２４に、ウイッペン３の後端部が回動自在に取り付けられている。各ウイッペン３は、対応する鍵２の上面後部に設けられたキャプスタンボタン２５に、ウィッペンヒール２６を介して載っている。
【００３２】
また、左右のブラケット２１，２１の間には、ハンマーシャンクレール２３が渡されている。このハンマーシャンクレール２３には、多数のシャンクフレンジ３１（１つのみ図示）がねじ３８で固定されており、各シャンクフレンジ３１にハンマー３０が回動自在に支持されている。ハンマー３０は、前端部においてシャンクフレンジ３１に回動自在に取り付けられたハンマーシャンク３２と、その後端部に取り付けられたハンマーヘッド３３などで構成されている。ハンマーシャンク３２の下面には、前端に近い所定位置に、円柱状のシャンクローラ３７が取り付けられている。また、鍵２の後端部には、バックチェック１０が立設されており、ハンマー３０に後ろ側から対向している。
【００３３】
ウィッペン３は、上方に延びる二股状のレバー取付部３ａを有し、このレバー取付部３ａの股部にそれぞれ形成した各孔にブッシングクロス（いずれも図示せず）が接着されており、両ブッシングクロス間にピン３ｂが水平に取り付けられている。そして、レペティションレバー４は、そのウィッペン取付部４１がレバー取付部３ａに係合した状態で、取付孔４４に通されたピン３ｂを介して、ウィッペン３に回動自在に取り付けられている。レペティションレバー４の後端部のねじ孔５１には、レバースクリュー２７が上下方向に貫通した状態で進退自在に螺合しており、その下端部にレバーボタン２８が一体に設けられている。また、レペティションレバー４は、ウィッペン３に取り付けられ且つ溝５２に係合するレペティションスプリング６によって、復帰方向（図２の反時計方向）に付勢されている。以上の構成により、鍵２の離鍵状態では、レペティションレバー４は、レペティションスプリング６のばね力により復帰側に回動していて、レバーボタン２８がウィッペン３の上面に当接しているとともに、レバースクリュー２７を回すことによって、離鍵状態におけるレペティションレバー４の角度を調整することが可能である。
【００３４】
レペティションレバー４の上面のジャック案内孔４５付近には、ハンマー３０がシャンクローラ３７を介して載置されている。図５に示すように、シャンクローラ３７の幅は、ジャック案内孔４５の壁部４５ａ、４５ａの外端間の距離とほぼ等しく、それにより、シャンクローラ３７が、ジャック案内孔４５にまたがった状態で、壁部４５ａ、４５ａにそれらの幅いっぱいに載置されるようになっている。また、レペティションレバー４のスキン取付部４６の上面には、レバースキン３９が貼り付けられており、このレバースキン３９は、シャンクフレンジ３１に下方から進退自在にねじ込まれたドロップスクリュー７に対向している。この構成により、ドロップスクリュー７を回し、その下方への突出量を調整することによって、これにレペティションレバー４がレバースキン３９を介して当接するタイミングを調整することが可能である。
【００３５】
ジャック５は、上下方向に延びる断面矩形のハンマー突上げ部５ａと、その下端部から後方にほぼ直角に延びるレギュレーティングボタン当接部５ｂとから、Ｌ字状に形成されており、その角部においてウィッペン３の前端部に回動自在に取り付けられている。ハンマー突上げ部５ａの上端部は、レペティションレバー４のジャック案内孔４５に、前後方向に移動自在に係合するとともに、離鍵状態においてはシャンクローラ３７と微小な間隔を存して対向している。また、ジャック５は、レペティションレバー４を付勢するレペティションスプリング６によって、復帰方向（図２の反時計方向）に付勢されている。
【００３６】
また、ジャック５のハンマー突上げ部５ａの中間部には、ジャック５の角度位置を調整するためのジャックボタンスクリュー９が、前後方向に貫通した状態で進退自在に螺合している。ジャックボタンスクリュー９の先端部には、ジャックボタン１２が一体に設けられており、このジャックボタン１２は、離鍵状態では、ウィッペン３に立設されたスプーン１３に当接している。したがって、このジャックボタンスクリュー９を回すことによって、離鍵状態におけるジャック５の角度位置を調整することが可能である。
【００３７】
このジャック５の角度調整は、図４に示すように、レペティションレバー４に形成された前述の毛引き線５７ａまたは下部段差５６を基準として行われる。すなわち、毛引き線５７ａを基準とする場合には、後ろ側の毛引き線５７ａとレペティションレバー４の上面との交点を基準点Ｂとし、この基準点Ｂにジャック５の背面５ｃが一致するように、ジャックボタンスクリュー９を回すことによって、ジャック５が所定の角度位置に調整される。この状態では、前述した毛引き線５７ａと下部段差５６の前面との角度関係から、ジャック５の背面５ｃが下部段差５６の前面に一致するようになる。したがって、下部段差５６を基準とし、その前面にジャック５の背面５ｃが一致するようにすることによっても、ジャック５を所定の角度位置に調整できる。以上のように、毛引き線５７ａおよび下部段差５６のいずれを用いても、ジャック５の角度位置の調整を行うことができる。
【００３８】
一方、ハンマーシャンクレール２３の下面には、レギュレーティングレール４０がねじ止めされており、このレギュレーティングレール４０の下面に、ジャック５の上方への回動を規制するレギュレーティングボタン８が進退自在に螺合していて、ジャック５のレギュレーティングボタン当接部５ｂの前端部と所定の間隔をもって対向している。
【００３９】
以上の構成のアクション１の動作は、前述した従来のそれと基本的に同じである。すなわち、図２に示す離鍵状態から鍵２が押鍵されると、ウィッペン３が、キャプスタンボタン２５を介して突き上げられることにより、上方に回動するとともに、ウィッペン３に取り付けたレペティションレバー４およびジャック５も上方に回動する。この回動に伴い、レペティションレバー４がレバースキン３９を介してドロップスクリュー７に当接するとともに、ジャック５がシャンクローラ３７を介してハンマー３０を突き上げ、上方に回動させる。その後、ハンマー３０が、上方に張られた弦Ｓを打弦する直前まで回動した時点で、ジャック５が、レギュレーティングボタン８に係合することによって、シャンクローラ３７から抜ける。これにより、ハンマー３０は、アクション１および鍵２との連結を解かれ、自由回動状態で弦Ｓを打弦する。
【００４０】
打弦後、ハンマー３０は、反対方向に復帰回動し、バックチェック１０に係止される。その後、鍵２が離鍵されると、バックチェック１０によるハンマー３０の係止が解除され、鍵２が所定の高さまで戻されたタイミングで、レペティションレバー４が、ドロップスクリュー７から離れ、レペティションスプリング６のばね力で、ウィッペン３に対して反時計方向に復帰回動することによって、シャンクローラ３７を介してハンマー３０を押し上げる。これにより、ジャック５が、レペティションスプリング６のばね力で復帰回動し、シャンクローラ３７の下側に入り込むことによって、鍵２が完全に戻らなくても、次の打弦が確実に行えるようになり、連打性が確保される。
【００４１】
以上のように、本実施形態によれば、レペティションレバー４が、長繊維法で成形されたＡＢＳ樹脂の成形品で構成され、０．５〜２ｍｍの比較的長い炭素繊維を補強用の長繊維として含有するので、非常に高い剛性が得られ、木材と同等またはそれ以上の剛性を得ることができる。その結果、打弦後にハンマー３０を押し上げる際のレペティションレバー４のたわみを抑制でき、ハンマー３０の押上げ動作を所定のタイミングで安定して行うことができる。また、単体の合成樹脂と同様、保形性や寸法安定性に優れているので、木材の場合と比較して、レペティションレバー４自身の反りおよびねじれなどの変形および乾湿による伸縮を、非常に小さく抑制することができる。以上により、レペティションレバー４の安定した動作を確保できるとともに、その連打性能を向上させることができる。
【００４２】
また、本実施形態では、レペティションレバー４に含有される補強用の長繊維として、炭素繊維を用いているので、レペティションレバー４の導電性が高められることによって、ハンマー３０などの他の部品が擦れることにより発生した静電気を確実に逃がし、帯電を防止することができる。それにより、レペティションレバー４およびその周辺へのほこりなどの付着を抑制でき、したがって、レペティションレバー４の動作および外観を良好に維持することができる。
【００４３】
さらに、本実施形態では、レペティションレバー４を構成する熱可塑性樹脂として、比較的高い接着性を有するＡＢＳ樹脂を用いているので、レペティションレバー４へのレバースキン３９やブッシングクロスなどの他の部品の取付を、接着によって容易に行うことができ、その組立性を向上させることができる。
【００４４】
図３は、本実施形態によるレペティションレバーの剛性の補強効果を確認するために行った試験の結果を、比較例とともに示したものである。比較例のレペティションレバーは、木材（シデ）で構成されており、実施形態および比較例におけるサイズおよび形状は、互いに同じである。試験の方法は、レペティションレバーの両端部を支持した状態で、その中央部に上方から荷重を加えながら変位を測定し、そのときの荷重と変位との関係から剛性を算出した。また、実施形態および比較例のそれぞれについて、同じ数の複数の試料を用意した。図３は、それぞれの平均的な荷重−変位の関係を示している。
【００４５】
同図に示すように、この試験結果によれば、実施形態のレペティションレバーの剛性は、比較例に対して約１３％、増大しており、木製のレペティションレバーよりもかなり大きな剛性が得られることが確認された。また、図示しないが、試料間の剛性のばらつきも、実施形態の方が小さいことが確認された。以上のように、本実施形態による材質を用いた場合、サイズおよび形状が同じ条件のときには、木製の場合よりもかなり大きな剛性が得られるので、レペティションレバー４に前述したような第１〜第３凹部４９，５０，５４（断面減少部）を形成することによって、そのような断面減少部を有しない従来の木製のレペティションレバーと同等の剛性を確保しながら、軽量化を最大限に図ることができ、それにより、連打性能を向上させることができる。
【００４６】
また、レペティションレバー４のジャック案内孔４５の壁部４５ａが面取りされていて、その上にハンマー３０のシャンクローラ３７が載置されるので、面取りされている分、レペティションレバー４との接触面積が減り、摩擦抵抗が軽減されることによって、鍵の静荷重を軽減することができる。図示しないが、その実験結果によれば、静荷重が１〜３ｇ、軽減されることが確認された。
【００４７】
なお、本発明は、説明した実施形態に限定されることなく、種々の態様で実施することができる。例えば、実施形態は、熱可塑性樹脂としてＡＢＳ樹脂を、補強用の長繊維として炭素繊維をそれぞれ用いた例であるが、他の適当な材料を用いることが可能であり、例えば、後者については、ガラス繊維を採用してもよい。また、実施形態では、レペティションレバーを軽量化するための断面減少部として、第１〜第３凹部４９，５０，５４を形成しているが、剛性を優先する場合には、そのような断面減少部を省略してもよい。さらに、実施形態は、本発明をアコースティックなグランドピアノのレペティションレバーに適用した例であるが、本発明を、他のグランド型の電子ピアノや自動演奏ピアノのレペティションレバーに適用してもよいことはもちろんである。その他、本発明の趣旨の範囲内で、細部の構成を適宜、変更することが可能である。
【符号の説明】
【００４８】
２  鍵
４  レペティションレバー
３０  ハンマー
４９  第１凹部（断面減少部）
５０  第２凹部（断面減少部）
５４  第３凹部（断面減少部）
【図１】
2005141182.tif 000003
【図２】
2005141182.tif 000004
【図３】
2005141182.tif 000005
【図４】
2005141182.tif 000006
【図５】
2005141182.tif 000007